【手続補正書】
【提出日】平成19年10月30日(2007.10.30)
【手続補正１】
【補正対象書類名】明細書
【補正対象項目名】特許請求の範囲
【補正方法】変更
【補正の内容】
【特許請求の範囲】
【請求項１】 水溶性フタロシアニン化合物を含有するインクであって、該フタロシアニン化合物の水溶液の分光吸収曲線において６６０ｎｍ以上６８０ｎｍ以下の吸収帯の最大吸光度ｂと、６００ｎｍ以上６４０ｎｍ以下の吸収帯の最大吸光度ａとの吸光度比ｂ／ａが０．８未満で、かつ該フタロシアニン化合物のイオン性親水性基の対イオンがリチウムイオンであり、前記フタロシアニン化合物が下記一般式(I)で表されるインク。
【化１】
2003213167.tif 000001
一般式(I)式中、Ｒ1、Ｒ2、Ｒ3、Ｒ4、Ｒ5、Ｒ6、Ｒ7、及びＲ8は、それぞれ独立に、水素原子、ハロゲン原子、アルキル基、シクロアルキル基、アルケニル基、アラルキル基、アリール基、ヘテロ環基、シアノ基、ヒドロキシル基、ニトロ基、アミノ基、アルキルアミノ基、アルコキシ基、アリールオキシ基、アミド基、アリールアミノ基、ウレイド基、スルファモイルアミノ基、アルキルチオ基、アリールチオ基、アルコキシカルボニルアミノ基、スルホンアミド基、カルバモイル基、スルファモイル基、スルホニル基、アルコキシカルボニル基、ヘテロ環オキシ基、アゾ基、アシルオキシ基、カルバモイルオキシ基、シリルオキシ基、アリールオキシカルボニル基、アリールオキシカルボニルアミノ基、イミド基、ヘテロ環チオ基、スルフィニル基、ホスホリル基、又はアシル基を表し、各々はさらに置換基を有していてもよい。Ｗ1、Ｗ2、Ｗ3、Ｗ4は、それぞれ独立に、上記Ｒ1、Ｒ2、Ｒ3、Ｒ4、Ｒ5、Ｒ6、Ｒ7、及びＲ8がそれぞれ表す各基あるいはスルホニルスルファモイル基又はアシルスルファモイル基を表し、各々はさらに置換基を有していてもよい。但し、Ｗ1、Ｗ2、Ｗ3、Ｗ4の少なくとも１つは、それ自体がイオン性親水性基であるか、又はイオン性親水性基を置換基として有する。但し、イオン性親水性基の対イオンはリチウムイオンである。ｌ、ｍ、ｎ、ｐは、１又は２の整数を表す。Ｍは、水素原子、金属元素、金属酸化物、金属水酸化物、又は金属ハロゲン化物を表す。
【請求項２】 前記一般式(I)が下記一般式(II)で表される請求項１に記載のインク。
【化２】
2003213167.tif 000002
一般式(II)式中、Ｚ1、Ｚ2、Ｚ3、Ｚ4はそれぞれ独立に置換もしくは無置換のアルキル基、置換もしくは無置換のシクロアルキル基、置換もしくは無置換のアルケニル基、置換もしくは無置換のアラルキル基、置換もしくは無置換のアリール基、置換もしくは無置換のヘテロ環基を表す。ｑ1、ｑ2、ｑ3、ｑ4はそれぞれ独立に１又は２の整数を表す。ａ31、ａ32、ａ33、ａ34はそれぞれ独立に１又は２の整数を表す。Ｍは、前記一般式(I)におけるＭと同義である。Ｚ1、Ｚ2、Ｚ3及びＺ4の少なくとも１つはイオン性親水性基を置換基として有する。但し、イオン性親水性基の対イオンはリチウムイオンである。
【請求項３】 前記一般式(I)が下記一般式(III)で表される請求項１に記載のインク。
【化３】
2003213167.tif 000003
一般式(III)式中、Ｒ21、Ｒ22、Ｒ23、Ｒ24はそれぞれ独立に水素原子、置換もしくは無置換のアルキル基、置換もしくは無置換のシクロアルキル基、置換もしくは無置換のアルケニル基、置換もしくは無置換のアラルキル基、置換もしくは無置換のアリール基、置換もしくは無置換のヘテロ環基を表す。Ｖ11、Ｖ12、Ｖ13及びＶ14はそれぞれ独立に置換もしくは無置換のアルキル基、置換もしくは無置換のシクロアルキル基、置換もしくは無置換のアルケニル基、置換もしくは無置換のアラルキル基、置換もしくは無置換のアリール基、置換もしくは無置換のヘテロ環基を表す。Ｍは、前記一般式(I)におけるＭと同義である。Ｒ21、Ｒ22、Ｒ23、Ｒ24、Ｖ11、Ｖ12、Ｖ13及びＶ14の少なくとも１つはイオン性親水性基を置換基として有する。但しイオン性親水性基の対イオンはリチウムイオンである。
【請求項４】 前記一般式(II)において、ｑ1＝ｑ2＝ｑ3＝ｑ4＝２である請求項２に記載のインク。
【請求項５】 請求項１〜４のいずれかに記載のインクを含有することを特徴とするインクジェット用インク。
【請求項６】 支持体上に白色無機顔料粒子を含有するインク受像層を有する受像材料上に、請求項５に記載のインクジェット用インクを用いて画像形成することを特徴とするインクジェット記録方法。
【請求項７】 請求項１〜５に記載のインクを用いて画像を形成することを特徴とする画像記録物のオゾンガス褪色改良方法。
【請求項８】下記一般式（IV）で表されることを特徴とする水溶性フタロシアニン化合物。
【化４】
2003213167.tif 000004
一般式(IV)式中、Ｚ1、Ｚ2、Ｚ3、Ｚ4はそれぞれ独立に置換もしくは無置換のアルキル基、置換もしくは無置換のシクロアルキル基、置換もしくは無置換のアルケニル基、置換もしくは無置換のアラルキル基、置換もしくは無置換のアリール基、置換もしくは無置換のヘテロ環基を表す。ｑ1、ｑ2、ｑ3、ｑ4はそれぞれ独立に１又は２の整数を表す。ａ31、ａ32、ａ33、ａ34はそれぞれ独立に１又は２の整数を表す。Ｍは、前記一般式(I)におけるＭと同義である。Ｚ1、Ｚ2、Ｚ3及びＺ4の少なくとも１つはイオン性親水性基を置換基として有する。但し、イオン性親水性基の対イオンはリチウムイオンである。
【手続補正２】
【補正対象書類名】明細書
【補正対象項目名】００２７
【補正方法】変更
【補正の内容】
【００２７】
１．水溶性フタロシアニン化合物を含有するインクであって、該フタロシアニン化合物の水溶液の分光吸収曲線において６６０ｎｍ以上６８０ｎｍ以下の吸収帯の最大吸光度ｂと、６００ｎｍ以上６４０ｎｍ以下の吸収帯の最大吸光度ａとの吸光度比ｂ／ａが０．８未満で、かつ該フタロシアニン化合物のイオン性親水性基の対イオンがリチウムイオンであり、該フタロシアニン化合物が下記一般式(I)で表されるインク。
【手続補正３】
【補正対象書類名】明細書
【補正対象項目名】００２９
【補正方法】変更
【補正の内容】
【００２９】
式中、Ｒ1、Ｒ2、Ｒ3、Ｒ4、Ｒ5、Ｒ6、Ｒ7、及びＲ8は、それぞれ独立に、水素原子、ハロゲン原子、アルキル基、シクロアルキル基、アルケニル基、アラルキル基、アリール基、ヘテロ環基、シアノ基、ヒドロキシル基、ニトロ基、アミノ基、アルキルアミノ基、アルコキシ基、アリールオキシ基、アミド基、アリールアミノ基、ウレイド基、スルファモイルアミノ基、アルキルチオ基、アリールチオ基、アルコキシカルボニルアミノ基、スルホンアミド基、カルバモイル基、スルファモイル基、スルホニル基、アルコキシカルボニル基、ヘテロ環オキシ基、アゾ基、アシルオキシ基、カルバモイルオキシ基、シリルオキシ基、アリールオキシカルボニル基、アリールオキシカルボニルアミノ基、イミド基、ヘテロ環チオ基、スルフィニル基、ホスホリル基、又はアシル基を表し、各々はさらに置換基を有していてもよい。Ｗ1、Ｗ2、Ｗ3、Ｗ4は、それぞれ独立に、上記Ｒ1、Ｒ2、Ｒ3、Ｒ4、Ｒ5、Ｒ6、Ｒ7、及びＲ8がそれぞれ表す各基あるいはスルホニルスルファモイル基又はアシルスルファモイル基を表し、各々はさらに置換基を有していてもよい。但し、Ｗ1、Ｗ2、Ｗ3、Ｗ4の少なくとも１つは、それ自体がイオン性親水性基であるか、又はイオン性親水性基を置換基として有する。但し、イオン性親水性基の対イオンはリチウムイオンである。ｌ、ｍ、ｎ、ｐは、１又は２の整数を表す。Ｍは、水素原子、金属元素、金属酸化物、金属水酸化物、又は金属ハロゲン化物を表す。
２．前記一般式(I)が下記一般式(II)で表される１に記載のインク。
【手続補正４】
【補正対象書類名】明細書
【補正対象項目名】００３１
【補正方法】変更
【補正の内容】
【００３１】
一般式(II)式中、Ｚ1、Ｚ2、Ｚ3、Ｚ4はそれぞれ独立に置換もしくは無置換のアルキル基、置換もしくは無置換のシクロアルキル基、置換もしくは無置換のアルケニル基、置換もしくは無置換のアラルキル基、置換もしくは無置換のアリール基、置換もしくは無置換のヘテロ環基を表す。ｑ1、ｑ2、ｑ3、ｑ4はそれぞれ独立に１又は２の整数を表す。ａ31、ａ32、ａ33、ａ34はそれぞれ独立に１又は２の整数を表す。Ｍは、前記一般式(I)におけるＭと同義である。Ｚ1、Ｚ2、Ｚ3及びＺ4の少なくとも１つはイオン性親水性基を置換基として有する。但し、イオン性親水性基の対イオンはリチウムイオンである。
３．前記一般式(I)が下記一般式(III)で表される１に記載のインク。
【手続補正５】
【補正対象書類名】明細書
【補正対象項目名】００３３
【補正方法】変更
【補正の内容】
【００３３】
一般式(III)式中、Ｒ21、Ｒ22、Ｒ23、Ｒ24はそれぞれ独立に水素原子、置換もしくは無置換のアルキル基、置換もしくは無置換のシクロアルキル基、置換もしくは無置換のアルケニル基、置換もしくは無置換のアラルキル基、置換もしくは無置換のアリール基、置換もしくは無置換のヘテロ環基を表す。Ｖ11、Ｖ12、Ｖ13及びＶ14はそれぞれ独立に置換もしくは無置換のアルキル基、置換もしくは無置換のシクロアルキル基、置換もしくは無置換のアルケニル基、置換もしくは無置換のアラルキル基、置換もしくは無置換のアリール基、置換もしくは無置換のヘテロ環基を表す。Ｍは、前記一般式(I)におけるＭと同義である。Ｒ21、Ｒ22、Ｒ23、Ｒ24、Ｖ11、Ｖ12、Ｖ13及びＶ14の少なくとも１つはイオン性親水性基を置換基として有する。但しイオン性親水性基の対イオンはリチウムイオンである。
４．前記一般式(II)においてｑ1＝ｑ2＝ｑ3＝ｑ4＝２である２に記載のインク。
５．１〜４のいずれかに記載のインクを含有することを特徴とするインクジェット用インク。
６．支持体上に白色無機顔料粒子を含有するインク受像層を有する受像材料上に５に記載のインクジェット用インクを用いて画像形成することを特徴とするインクジェット記録方法。
７．１〜５に記載のインクを用いて画像を形成することを特徴とする画像記録物のオゾンガス褪色改良方法。
８．下記一般式（IV）で表されることを特徴とする水溶性フタロシアニン化合物である。
【手続補正６】
【補正対象書類名】明細書
【補正対象項目名】００５１
【補正方法】変更
【補正の内容】
【００５１】
本発明のフタロシアニン化合物は、水溶液の分光吸収曲線が本発明の条件を満たし、かつ対カチオンとしてリチウムイオンを有するイオン性親水性基を有し、一般式(I)で表される。